(57)【要約】【課題】一般の白熱電球の装着を防止するとともに、ＬＥＤの温度上昇を抑制することができる照明器具を提供すること目的とする。【解決手段】本発明は、ＬＥＤ１７が実装された基板１１と、この基板１１と熱的に結合されるとともに外面に露出した熱伝導部材１２と、前記ＬＥＤ１７と電気的に接続され一端側に設けられた口金１５とを備えたＬＥＤランプ１と、ＬＥＤランプ１の口金１５が装着されるソケット２３と、一般の白熱電球のソケット２３への装着を防止するとともにＬＥＤランプ１がソケット２３に装着されたとき、前記熱伝導部材１２に熱的に結合される熱伝導性を有する誤装着防止手段３とを備えた器具本体２とを具備する。【選択図】図５
2011187188.tif 000002
【特許請求の範囲】
【請求項１】
ＬＥＤが実装された基板と、この基板と熱的に結合されるとともに外面に露出した熱伝導部材と、前記ＬＥＤと電気的に接続され一端側に設けられた口金とを備えたＬＥＤランプと；
ＬＥＤランプの口金が装着されるソケットと、一般の白熱電球のソケットへの装着を防止するとともにＬＥＤランプがソケットに装着されたとき、前記熱伝導部材に熱的に結合される熱伝導性を有する誤装着防止手段とを備えた器具本体と；
を具備することを特徴とする照明器具。
【発明の詳細な説明】
【技術分野】
【０００１】
本発明は、光源としてＬＥＤランプを適用する照明器具に関する。
【背景技術】
【０００２】
近時、照明用の発光源としてＬＥＤが用いられるようになってきており、例えば、省エネ、長寿命が実現される電球形のＬＥＤランプが発売されている。このＬＥＤランプは、Ｅ型の口金を有しており、一般の白熱電球に代替されるものとして注目されている。
【０００３】
また、光源としてＬＥＤランプの適用を意図した照明器具が開発されている。しかしながら、この照明器具に一般の白熱電球が装着されてしまうと、白熱電球は、点灯中の温度が高温のため温度負荷が大きく、例えば、配線関係の部材の許容温度を超えてしまう可能性がある。一方、白熱電球が装着されることを想定すると、耐熱性を確保するため耐熱温度の高い部材を使用して温度対策を行う必要性がでてくる。
【０００４】
さらに、ＬＥＤは、その温度が上昇することによって、光出力の低下等の諸特性の変化や短寿命化をもたらすことが知られている。したがって、ＬＥＤを光源とする照明器具にあっては、諸特性や寿命を改善するためにＬＥＤの温度上昇を抑制する必要がある。
【０００５】
従来、電球型蛍光灯の適用を意図した照明器具において、一般の白熱電球が取付けられる場合を排除して、温度対策を行う部材を不要とすることができるものが知られている（特許文献１参照）。
【先行技術文献】
【特許文献】
【０００６】
【特許文献１】特開２００１−２５６８０４号公報
【発明の概要】
【発明が解決しようとする課題】
【０００７】
しかしながら、特許文献１に示されたものは、電球型蛍光灯の適用を意図したものであって、ＬＥＤランプの適用を意図したものではない。したがって、白熱電球が取付けられる場合を排除するものではあるが、これと同時に、当然のことながら、ＬＥＤの特性に着目し、ＬＥＤの温度上昇を抑制するものではない。
【０００８】
本発明は、上記課題に鑑みなされたもので、一般の白熱電球の装着を防止するとともに、ＬＥＤの温度上昇を抑制することができる照明器具を提供すること目的とする。
【課題を解決するための手段】
【０００９】
請求項１に記載の照明器具は、ＬＥＤが実装された基板と、この基板と熱的に結合されるとともに外面に露出した熱伝導部材と、前記ＬＥＤと電気的に接続され一端側に設けられた口金とを備えたＬＥＤランプと；ＬＥＤランプの口金が装着されるソケットと、一般の白熱電球のソケットへの装着を防止するとともにＬＥＤランプがソケットに装着されたとき、前記熱伝導部材に熱的に結合される熱伝導性を有する誤装着防止手段とを備えた器具本体と；を具備することを特徴とする。
【００１０】
ＬＥＤの実装は、表面実装方式やＬＥＤのベアチップを基板に直接実装するチップ・オン・ボード方式によって実装されたものが好ましいが、本発明の性質上、実装方式は特に限定されるものではない。
【００１１】
熱伝導部材は、例えば、ランプの外殻をなす本体によって構成できる。また、熱伝導部材が外面に露出していることにより、誤装着防止手段が容易に熱的に結合できる。
誤装着防止手段は、一般の白熱電球の装着を防止するとともに、熱伝導部材に熱的に結合されれば足り、その構成材料や形態が格別限定されるものではない。
【００１２】
また、照明器具としては、ＬＥＤランプを用いるダウンライトが好適であるが、これに限るものではない。屋内又は屋外で使用される各種照明器具に適用可能である。
【発明の効果】
【００１３】
請求項１に記載の発明によれば、一般の白熱電球の装着が防止できるとともに、ＬＥＤの温度上昇を抑制することができる照明器具を提供することができる。
【図面の簡単な説明】
【００１４】
【図１】本発明の第１の実施形態に係るＬＥＤランプを示す斜視図である。
【図２】同ＬＥＤランプを示す正面図である。
【図３】同ＬＥＤランプにおいてグローブで覆われた部分を断面で示す正面図である。
【図４】同照明器具の概略構成を示す断面図である。
【図５】図４の照明器具にＬＥＤランプを装着した状態を示す正面図である。
【図６】本発明の第２の実施形態に係るＬＥＤランプを示す正面視図である。
【図７】第１の実施形態の図５に相当し、照明器具にＬＥＤランプを装着した状態を示す正面図である。
【図８】誤装着防止手段を示す斜視図である。
【発明を実施するための形態】
【００１５】
以下、本発明の第１の実施形態について図１乃至図５を参照して説明する。図１乃至図３は、電球形ＬＥＤランプ１を示し、図４及び図５は、電球形ＬＥＤランプ１が装着される照明器具としてダウンライト２の概略構成を示している。
【００１６】
図１乃至図３において、電球形ＬＥＤランプ１は、複数のＬＥＤが実装された基板１１（図３参照）、この基板１１と熱的に結合された熱伝導部材としての本体１２、ＬＥＤを点灯制御する点灯装置１３、この点灯装置１３が収納されたカバー部材１４、カバー部材１４に取付けられた口金１５及び基板１１を覆って本体１２に取付けられたグローブ１６を備えて構成されている。
【００１７】
基板１１は、金属又は絶縁材の略円形の平板からなり、光源となるＬＥＤ１７が設けられている。このＬＥＤ１７は、ＬＥＤのベアチップであり、基板１１の表面上に直接実装され、その上が蛍光体層で封止されている。基板１１には、セラミックス材料又は合成樹脂材料を適用できる。合成樹脂材料を用いる場合には、例えば、ガラスエポキシ樹脂等で形成できる。
【００１８】
本体１２は、例えば、熱伝導性が良好なアルミニウム等の金属材料からなり、一端側に円柱状部１２ａが形成され、この円柱状部１２ａから他端側へ向かって徐々に径が拡大された拡径部１２ｂを有し、この拡径部１２ｂには複数の放熱フィンが形成されている。なお、円柱状部１２ａの径は、後述する口金１５の径と略同じ寸法に形成されている。さらに、本体１２の他端側（図示上、上側）には、基板１１を取付けるための取付面が形成されている
【００１９】
点灯装置１３は、カバー部材１４に収容されるようになっており、回路基板にトランジスタQや抵抗素子R等の回路部品が実装されて構成されている。点灯装置１３は、ＬＥＤチップ１６に接続され、その点灯を制御する機能をなしている。
【００２０】
カバー部材１４は、例えば、ＰＢＴ樹脂等の絶縁性を有する材料により形成されており、その中間部の外周面には、本体１２の一端側と口金１５との間を絶縁するための絶縁部であるフランジ部１４ａが径方向に突出して周方向全体に介在している。
【００２１】
口金１５は、例えば、Ｅ２６型のものであり、点灯装置１３と配線により電気的に接続されており、照明器具本体のランプソケットにねじ込まれるねじ山を備えた筒状のシェルと、このシェルの頂部に絶縁部を介して設けられたアイレットとを備えている。
グローブ１６は、光拡散性を有するガラス又は合成樹脂等により球面状に形成されて基板１１を覆うようになっている。
次に、図４及び図５を参照して照明器具としてのダウンライト２及びこのダウンライト２に装着されるＬＥＤランプ１の装着状態について説明する。
【００２２】
ダウンライト２は、天井面Ｃの埋め込み穴に挿入されて設置されるもので、下側が開放した円筒状の本体２１と、この本体２１内に収容され光の照射方向に拡開した曲面状の反射鏡２２と、ソケット２３と、端子台２４と、反射鏡２２の照射開口に配設された化粧枠２５とを備え、また、本体２１の上面壁には、誤装着防止手段３が取付けられている。
【００２３】
本体２１は、冷間圧延鋼板等で形成された金属製であり、その内部には、反射鏡２２が取付けられており、反射鏡２２の上部には、図示しない支持金具によって本体２１の上面壁にソケット２３が取付けられている。このソケット２３には、ＬＥＤランプ１の口金１５が装着されるようになっている。端子台２４は、本体２１の上面壁に取付けられており、この端子台２４には、ソケット２３が電気的に接続されるとともに電源線が接続されて商用電源から電力が供給されるようになっている。
【００２４】
誤装着防止手段３は、ＬＥＤランプ１以外の一般の白熱電球のソケット２３への装着を困難にし、装着を防止するとともに、ＬＥＤランプ１からの熱を本体２１へ伝導し放熱を促進する機能を有するものである。
【００２５】
誤装着防止手段３は、アルミニウム材料等の熱伝導性の良好な材料から構成されており、側面形状が略Ｌ字状に形成され、支持部３１と当接部３２とを有している。支持部３１の一端側は、本体２１の上面壁に取付ねじによって取付けられており、他端側には、当接部３２が設けられて、この当接部３２は反射鏡２２の中央部を通過して垂下するように配設されている。
【００２６】
当接部３２は、ＬＥＤランプ１の円柱状部１２ａの外径に沿うようにその当接面３２ａが弧状に形成されている。また、誤装着防止手段３は、ＬＥＤランプ１がソケット２３に装着されたとき、この当接面３２ａがＬＥＤランプ１の円柱状部１２ａに密着するように、密着方向へ若干の弾性が付与されている。
【００２７】
このように構成されたダウンライト１の本体２１に、図５に示すように、ＬＥＤランプ１をその口金１５をソケット２３にねじ込んで装着する。この装着された状態では、誤装着防止手段３の当接面３２ａがＬＥＤランプ１の円柱状部１２ａに密着して面接触する。したがって、ＬＥＤランプ１の点灯中において、ＬＥＤ１７から発生する熱は、基板１１の裏面側から本体１２の円柱状部１２ａ、誤装着防止手段３の当接部３２及び支持部３１へと伝わり、ダウンライト本体２１へと伝導されて放熱される。
【００２８】
このようにＬＥＤランプ１をソケット２３に装着すると同時に、誤装着防止手段３がＬＥＤランプ１の円柱状部１２ａに接触し、放熱促進の仕組みができあがる。
【００２９】
一方、この誤装着防止手段３によって、ランプがソケット２３に装着される許容径φ1は、一般の白熱電球を装着して使用する照明器具より狭くなっている。図に示すように、白熱電球Ｉ（例えば、Ｅ２６型口金、全長９８ｍｍ、グローブ径５５ｍｍ）を装着しようとした場合、白熱電球Ｉには、装着過程においてφ1より径が大きなφ2が存在するため、このφ2の部分が誤装着防止手段３の先端部に衝突し、ソケット２３に装着できず、これにより、白熱電球Ｉの装着が防止される。なお、本実施形態の誤装着防止手段３は、複数設けるようにしてもよい。
【００３０】
以上のように本実施形態によれば、一般の白熱電球Ｉの装着が防止できるとともに、ＬＥＤ１７の放熱性を促進して、ＬＥＤ１７の温度上昇を抑制することができる。
【００３１】
次に、本発明の第２の実施形態について図６乃至図８を参照して説明する。なお、第１の実施形態と同一又は相当部分には、同一符号を付し重複した説明は省略する。
【００３２】
図６に示すように、本実施形態のＬＥＤランプ１においては、本体１２は、一端側を小径の円柱状部１２ｃとして形成し、この円柱状部１２ｃから他端側へ向かって大径の円柱状部１２ｄとして形成したものである。そして、小径の円柱状部１２ｃは、口金１５の径と略同じ寸法に形成され、大径の円柱状部１２ｄは、グローブ１６の最大径と略同じ寸法に形成されている。
【００３３】
図７及び図８に示すように、誤装着防止手段３は、例えば、熱伝導性が良好なアルミニウム等の金属材料からなり、略円筒状に形成されており、両端に鍔部３３、３４を有している。一端側（上側）の鍔部３３は、本体２１の上面壁に取付けられており、他端側（下側）の鍔部３４は、ＬＥＤランプ１がソケット２３に装着されたとき、前記大径の円柱状部１２ｄの背面側の面に当接され、面接触されるようになっている。つまり、ＬＥＤランプ１の口金１５をソケット２３にねじ込んで、その装着が完了した時点で、円柱状部１２ｄの背面側の面と鍔部３４とが丁度接触する寸法関係になっている。
【００３４】
したがって、ＬＥＤランプ１の点灯中において、ＬＥＤ１７から発生する熱は、基板１１の裏面側から本体１２の大径の円柱状部１２ｄ、誤装着防止手段３の鍔部３４を経てダウンライト本体２１へと伝導されて放熱される。
【００３５】
また、誤装着防止手段３によって、ランプがソケット２３に装着される許容径φ1は、誤装着防止手段３の内径で規定され、この内径である許容径φ1は、一般の照明器具より狭くなっている。したがって、第１の実施形態と同様に、白熱電球Ｉを装着しようとした場合、白熱電球Ｉは、装着過程において内径φ1の部分に衝突し、ソケット２３に装着できないこととなる。
【００３６】
以上のように本実施形態によれば、第１の実施形態と同様に、一般の白熱電球Ｉの装着が防止できるとともに、ＬＥＤ１７の放熱性を促進して、ＬＥＤ１７の温度上昇を抑制することができる。
【００３７】
なお、本発明は、上記各実施形態の構成に限定されることなく、発明の要旨を逸脱しない範囲で種々の変形が可能である。例えば、ＬＥＤランプや誤装着防止手段の形態は、一般の白熱電球の装着が防止できるように構成されていれば、各種形態の実現が可能であり、格別限定されるものではない。
また、照明器具としては、ダウンライトが好適であるが、これに限るものではない。屋内又は屋外で使用される各種照明器具に適用可能である。
【符号の説明】
【００３８】
１・・・ＬＥＤランプ、２・・・照明器具（ダウンライト）、
３・・・誤装着防止手段、１１・・・基板、１２・・・熱伝導部材（本体）、
１５・・・口金、１７・・・ＬＥＤ、２３・・・ソケット
【図１】
2011187188.tif 000003
【図２】
2011187188.tif 000004
【図３】
2011187188.tif 000005
【図４】
2011187188.tif 000006
【図５】
2011187188.tif 000007
【図６】
2011187188.tif 000008
【図７】
2011187188.tif 000009
【図８】
2011187188.tif 000010